【手続補正書】
【提出日】平成24年6月6日(2012.6.6)
【手続補正１】
【補正対象書類名】特許請求の範囲
【補正対象項目名】全文
【補正方法】変更
【補正の内容】
【特許請求の範囲】
【請求項１】
人の身体によって排出される液体を除去するための吸引システムに用いられる液体センサーであって、該液体センサーは排出される身体液体の存在を検知するように構成され、該液体センサーは温度センサー、および／または液体に応答する抵抗ブリッジである、液体センサー。
【請求項２】
前記液体センサーは前記温度センサーであり、３０℃と４２℃との間の所定の閾値を越える温度が検出されるときに、前記身体液体の存在を示す出力信号を発生させる制御回路をさらに備える、請求項１に記載の液体センサー。
【請求項３】
前記液体センサーは前記温度センサーであり、所定の増加率を越える温度が検出されるときに、前記身体液体の存在を示す出力信号を発生させる制御回路をさらに備える、請求項１に記載の液体センサー。
【請求項４】
前記閾値は３０℃と４２℃との間にある、請求項２に記載の液体センサー。
【請求項５】
前記閾値は２秒以内での少なくとも１℃の温度上昇である、請求項２に記載の液体センサー。
【請求項６】
前記液体センサーは前記液体に応答する抵抗ブリッジであり、該抵抗ブリッジは、液体による接触に応答する抵抗を有する少なくとも１つの要素を備える、請求項１に記載の液体センサー。
【請求項７】
変化閾値を越える変化が検知されるときに、前記身体液体の存在を示す出力信号を発生させるように構成される制御回路をさらに備える、請求項１に記載の液体センサー。
【請求項８】
液体を除去する吸引システムの部分として人の身体に適合するための身体インターフェイスデバイスであって、該液体は該人の身体によって該身体インターフェイスデバイスの中に排出され、該身体インターフェイスデバイスは、
吸込み通路を収容するハウジングと、
該身体インターフェイスデバイス内の排出身体液体の存在を検出するための液体センサーであって、該液体センサーは温度センサー、および／または液体に応答する抵抗ブリッジである、液体センサーと
を備える、デバイス。
【請求項９】
前記吸込み通路を吸引ユニットの吸引通路に取り外し可能に接続するための吸引コネクターと、前記液体センサーを該吸引ユニットに電気的に接続するための電気信号コネクターとをさらに備える、請求項８に記載の身体インターフェイスデバイス。
【請求項１０】
前記ハウジングはチャンバー分割部によって分割される第１および第２のチャンバーを収容し、
該第１のチャンバーは、前記身体からのオフセットおよび身体液体の初期放出容量を提供するために該ハウジングのインターフェイス出入口において提供され、
該第２のチャンバーは該第１のチャンバーへの吸込み適用のために該第１のチャンバーの背後に提供される、
請求項８に記載の身体インターフェイスデバイス。
【請求項１１】
前記吸引通路および電気信号コネクターは前記吸引ユニットに取り外し可能に接続され、前記液体センサーは該吸引通路に取り付けられる、請求項９に記載の身体インターフェイスデバイス。
【請求項１２】
前記第１および第２のチャンバーのうちの少なくとも１つは連続発泡体材料を含み、前記チャンバー分割部は該連続発泡体材料よりも浸透性がないように構成される、請求項１０に記載の身体インターフェイスデバイス。
【請求項１３】
前記チャンバー分割部は前記複数のチャンバー間に流体流れを導くように構成される、請求項１０に記載の身体インターフェイスデバイス。
【請求項１４】
前記チャンバー分割部は、自身に１つ以上の切れ目を有する、概して流体非浸透性の材料からなる壁を備える、請求項１０に記載の身体インターフェイスデバイス。
【請求項１５】
前記切れ目はスリットの形態を取る、請求項１４に記載の身体インターフェイスデバイス。
【請求項１６】
前記切れ目は複数の開口を備える、請求項１４に記載の身体インターフェイスデバイス。
【請求項１７】
前記ハウジングは、液体を前記第１のチャンバーから前記第２のチャンバー内に輸送する空気流れを引き起こすために、該第１のチャンバーと連絡する複数の空気導入口の開口を備える、請求項１０に記載の身体インターフェイスデバイス。
【請求項１８】
前記液体センサーは前記複数のチャンバーのうちの少なくとも１つのチャンバーと密接な連絡を取るように配置される、請求項１０に記載の身体インターフェイスデバイス。
【請求項１９】
人の身体から排出される身体液体を除去するための吸引システムであって、
該システムは、
該身体によって排出される身体液体を受容するための、該人の身体に適合するための身体インターフェイスデバイスであって、該身体インターフェイスデバイスは温度センサー、および／または液体に応答する抵抗ブリッジから成る群から選択される液体センサーを備える、身体インターフェイスデバイスと、
吸引吸込み源と、
該液体センサーの出力に応答し、該身体液体を除去するために該身体インターフェイスデバイスへの吸引吸込みの適用を制御するように構成される制御回路と
を備える、システム。
【請求項２０】
人の身体から排出される身体液体を除去するための吸引システムであって、
該システムは、
該身体によって排出される身体液体を受容するための、該人の身体に適合する身体インターフェイスデバイスであって、該身体インターフェイスデバイスは液体センサーを含む、身体インターフェイスデバイスと、
真空を貯蔵するための真空チャンバーと、
該真空チャンバーを真空で充たすために該真空チャンバーに結合されるポンプと、
該真空チャンバーから該身体インターフェイスデバイスへの吸引吸込みの適用を制御するための、該身体インターフェイスデバイスと該真空チャンバーとの間に結合された制御バルブと、
該液体センサーの出力に応答し、該バルブを制御するように結合された制御回路と
を備える、システム。
【請求項２１】
前記制御回路は、前記排出された身体液体の存在が前記液体センサーによって検出されるときに、高吸引吸込みを適用するために前記制御バルブを制御するように構成される、請求項２０に記載の吸引システム。
【請求項２２】
前記制御回路は、前記排出された身体液体の存在が前記液体センサーによって検出されないときに、吸引吸込みを減少または停止させるために前記制御バルブを制御するように構成される、請求項２０に記載の吸引システム。
【請求項２３】
前記制御回路は、一旦、前記排出された身体液体の存在が前記液体センサーによってもはや検出されなくなると、所定の持続時間の間、高吸引吸込みを継続するように前記制御バルブを制御し、その後、該制御回路は吸引吸込みを減少または停止させるために該制御バルブを制御するように構成される、請求項２２に記載の吸引システム。
【請求項２４】
前記ポンプは、前記真空チャンバー内の圧力が所定の閾値を越えるときはいつでも該真空チャンバーを充たすように制御される、請求項２０に記載の吸引システム。
【請求項２５】
前記真空チャンバー内の圧力レベルを検知するための前記真空チャンバーに結合される真空センサーをさらに備え、前記ポンプは該真空センサーによって発生した信号に応答して制御される、請求項２４に記載の吸引システム。
【請求項２６】
吸引される液体を回収するための回収チャンバーに取り外し可能に結合するためのコネクターをさらに備え、該コネクターは、該回収チャンバーが該コネクターから分離されるときに該真空が流出するのを防止するコネクターバルブを含む、請求項２０に記載の吸引システム。
【請求項２７】
前記制御バルブは、複数の流路のうちの１つを選択するための切替バルブ、連続的に可変の開口バルブ、複数の固定の開口サイズを有する可変開口バルブ、開／閉バルブ、のうちから選択される、請求項２０に記載の吸引システム。
【請求項２８】
前記制御バルブは、実質的に無制限の高真空経路と比較的制限される低真空経路との間を選択する切替バルブである、請求項２７に記載の吸引システム。
【請求項２９】
前記制御回路は、検知される入力値へのあらかじめプログラムされた制御応答を含む情報マップを有するコントローラーを備える、請求項２０に記載の吸引システム。
【請求項３０】
人の身体から排出される身体液体を除去するシステムを形成するために身体インターフェイスデバイスに結合するための吸引ユニットであって、
該吸引ユニットは、
吸引コネクターであって、該吸引コネクターは、該吸引コネクターへの吸込みを適用するための該身体インターフェイスデバイスの吸引経路に結合するためのものである、吸引コネクターと、
該液体センサーからの信号を受信するために、該身体インターフェイスデバイスの液体センサーに結合するための信号コネクターと、
真空を貯蔵するための真空チャンバーと、
該真空チャンバーを真空で充たすためのポンプと、
該真空チャンバーと該吸引コネクターとの間に結合される制御バルブと、
該液体センサーからの信号に応答して該真空チャンバーからの吸引吸込みを適用するように該制御バルブを制御するための、該制御バルブと該信号コネクターとに結合される制御回路と
を備える、ユニット。
【請求項３１】
人の身体によって排出される身体液体を除去する吸引システムの身体インターフェイスデバイスにおいて、該身体インターフェイスデバイスに到達する排出された身体液体の存在を検出する方法であって、該方法は、
該身体インターフェイスデバイスにおける温度をモニターすること
を含む、方法。
【請求項３２】
人の身体によって排出される身体液体を除去する吸引システムの身体インターフェイスデバイスにおいて、該身体インターフェイスに到達する排出された身体液体の存在を検出する方法であって、該方法は、
該液体の存在に応答する抵抗を有する少なくとも１つの要素を含み、該身体インターフェイスデバイスに配置される、抵抗ブリッジ回路の出力をモニターすること
を含む、方法。
【請求項３３】
人の身体によって排出される身体液体を除去する吸引システムの身体インターフェイスデバイスにおける吸引吸込みを制御する方法であって、
該方法は、
真空を貯蔵するために真空チャンバーをあらかじめ充たすことと、
該身体インターフェイスデバイスに到達する該液体の存在を検出することと、
該液体の検出に応答して、該真空チャンバーから該身体インターフェイスデバイスへ吸込みを適用するためにバルブを制御することと
を含む、方法。
【請求項３４】
前記真空チャンバー内の圧力が閾値を越えるときはいつでも該真空チャンバーを充たすためにポンプを操作することをさらに含む、請求項３３に記載の方法。